(57)【要約】      （修正有）【課題】データ通信システム中でのデータの送受信のための方法と装置を提供する。【解決手段】改良されたデータ送受信のための種々の実施例を示した。データ送信は、送信機中にヌル（ｎｕｌｌ）発生器（１１０）を備え、入力データ記号列のない特定の周波数での周波数分域でヌルを示す、出力データ記号列を生成する。次にパイロット挿入器（１２０）がこの出力データ記号列にパイロット記号列を加えて、組み合わせ記号列を生成する。パイロット記号列は周波数分域での出力データ記号列のヌルに対応してパイロット信号を示すので、組み合わせ記号列は周波数分域においてデータに直交するパイロットを示す。  【選択図】図１
2006222966.tif 000002
【特許請求の範囲】
【請求項１】
入力データ記号列から出力データ記号列を生成するためのヌル発生器であって、入力データ記号列が存在しない特定の周波数での周波数分域では出力データ記号列がヌルを示す前記ヌル発生器と、
出力データ記号列にパイロット記号列を加えて組合せ記号列を生成するためのパイロット挿入器であって、該パイロット記号列は、前記周波数分域中の出力データ記号列のヌルに対応してパイロット信号を示す前記パイロット挿入器と、からなる装置。
【請求項２】
前記組合せ記号列を変調して、組合せ記号列が搬送する内容に沿って、周波数分域中の特定のサブ搬送波にパイロット信号をシフトするためのコンテンツベース拡張器を更に含む請求項１の装置。
【請求項３】
前記入力データ記号列が搬送する内容に沿って、特定の符号分割多重接続（ＣＤＭＡ）の長い拡張符号を用いて、入力データ記号列とパイロット記号列を拡張するためのコンテンツベース拡張器を更に含む請求項１に記載の装置。
【請求項４】
入力データ記号列から出力データ記号列を生成する工程であって、入力データ記号列が存在しない特定の周波数での周波数分域では出力データ記号列がヌルを示す前記出力データ記号列を生成する工程と、
出力データ記号列中にパイロット記号列を挿入して組合せ記号列を生成する工程であって、パイロット記号列は、周波数分域中の出力データ記号列のヌルに対応してパイロット信号を示す前記組合せ記号列を生成する工程と、
からなる方法。
【請求項５】
前記組合せ記号列を変調して、組合せ記号列が搬送する内容に沿って、周波数分域中の特定のサブ搬送波にパイロット信号をシフトする工程を更に含む請求項４に記載の方法。
【請求項６】
前記入力データ記号列が搬送する内容に沿って、特定の符号分割多重接続（ＣＤＭＡ）の長い拡張符号を用いて、入力データ記号列とパイロット記号列を拡張する工程を更に含む請求項４に記載の方法。
【請求項７】
前記組合せ記号列中にサイクリック接頭辞を挿入する工程を更に含む請求項４に記載の方法。
【請求項８】
前記出力データ記号列を生成する工程が、
それぞれのグループ中で同一の位置を有する記号を線形に加えて一緒にして記号グループを生成する工程であって、同記号グループは前記入力データ記号列のサブグループである前記工程と、
正規化因子によって前記記号グループの各記号をスケーリング（ｓｃａｌｉｎｇ）して、前記出力データ記号列を作成するために使用されるパッディング（ｐａｄｄｉｎｇ）記号グループを生成する工程と、
からなる請求項４に記載の方法。
【請求項９】
前記出力データ記号列を生成する工程が更に、
正規化因子によってパッディング（ｐａｄｄｉｎｇ）記号グループの各記号をスケーリングして正規化されたパッディング記号グループを作成する工程と、
前記入力データ記号列からの各記号に、正規化されたパッディング記号グループ中で、合計した記号列を生成するためにそのサブグループ中に記号が有すると同一の位置を有する記号を線形に加えることによって、前記出力データ記号列が合計した記号列に付加され
たパッディング記号グループとなる工程と、
からなる請求項８に記載の方法。
【請求項１０】
データパケットを符号化して符号化記号列を作成する工程と、
同符号化記号列をインターリーブして、インターリーブ記号列を作成する工程と、
同インターリーブ記号列を変調して、変調記号列を作成する工程と、
同変調記号列を拡散して、前記入力データ記号列を作成する工程と、
から更になる請求項４に記載の方法。
【請求項１１】
受信した記号列から均一化したデータ記号列を再生する周波数分域等化器であって、該受信した記号列は周波数分域中の特定のサブ搬送波でパイロットを示し、
前記周波数分域等化器は、
既知の送信パイロットと受信した記号列中のパイロットとからチャネルを推定するためのチャネル推定器であって、受信した記号列中のパイロットは周波数分域中の特定のサブ搬送波から得られる前記チャネル推定器と、
該受信した記号列を使用して、時間分域中で等化データ記号列を生成し、かつ、チャネル推定をするための等化器と、からなることと、
時間分域中での等化データ記号列を変調して出力データ記号列を生成するための記号検出器と、
からなる装置。
【発明の詳細な説明】
【技術分野】
【０００１】
本発明はデータ通信に関連し、特には、データ通信システム中でのデータの送受信のための方法と装置に関する。
【背景技術】
【０００２】
現在、３ＧＰＰ２（第３世代パートナーシップ・プロジェクト２）は、ユーザへの高速度でデータ配信するために、「ＣＤＭＡ２０００高速同報通信パケットデータ空気インタフェイス仕様」（３ＧＰＰ２Ｃ.Ｓ００５４−０／ＴＩＡ−１００６）を機能強化するた
めの、単一周波数ネットワーク（ＳＦＮ）を使用した提案を考慮中である（３ＧＰＰ２は、ｈｔｔｐ：／／ｗｗｗ.３ｇｐｐ２.ｃｏｍ／．を介して接触できる）。その機能強化においては、１つ以上のサイトが同一時間に同一の同報通信内容を送信する。機能強化された受信機では、異なる基地送受信局（ＢＴＳ）からの同報通信信号が効率よく組み合わされる。考慮中の提案は、「ＨＲＰＤ用の機能強化同報通信」（Ｃ３０−２００４０６０７−０６０）、「機能強化ＨＲＰＤ同報通信の提案の更新」（Ｃ３０−２００４１２０６−０ＸＸ）、「Ｑｕａｌｃｏｍｍの同報通信提案に関する行動事項への対応」（Ｃ３０−２００３１００６−０ｘｘ）、「逆方向にも互換性のあるＣＤＭＡベースのＨＲＰＤ用の機能強化同報通信（ＥＢＭ）システム」（Ｃ３０−２００４１０１９−０１１）、および「ＣＤＭＡのＥＢＭ評価法のためのチャネル評価エラーモデルの導出」（Ｃ３０−２００４１２０６−０２２）である。
【非特許文献１】３ＧＰＰ２.Ｓ００５４‐０：ＣＤＭＡ２０００  ＨｉｇｈＲａｔｅ  Ｂｒｏａｄｃａｓｔ−Ｍｕｌｔｉｃａｓｔ  Ｐａｃｋｅｔ  Ｄａｔａ  Ａｉｒ  Ｉｎｔｅｒｆａｃｅ  Ｓｐｅｃｉｆｉｃａｔｉｏｎ
【非特許文献２】Ｃ−３０−２００４０６０７−０６０  Ｑｕａｌｃｏｍｍ；Ｅｎｈａｎｃｅ  Ｂｒｏａｄｃａｓｔ−Ｍｕｌｔｉｃａｓｔ  ｆｏｒ  ＨＲＰＤ
【非特許文献３】Ｃ−３０−２００４１２０６−０ｘｘ  Ｑｕａｌｃｏｍｍ；Ｉｐｄａｔｅｓ  ｔｏ  ＥｎｈａｎｃｅｄＨＲＰＤ  Ｂｒｏａｄｃａｓｔ  Ｐｒｏｐｏｓａｌ
【非特許文献４】Ｃ３０−２００３１００６−０ｘｘ  Ｑｕａｌｃｏｍｍ；Ｒｅｓｐｏｎｓｅ  ｔｏ  ａｃｔｉｏｎ  ｉｔｅｍｓ  ｏｎ  Ｑｕａｌｃｏｍｍ‘ｓ  Ｅｎｈａｎｃｅｄ  Ｂｒｏａｄｃａｓｔ  Ｍｕｌｔｉｃａｓｔ  Ｐｒｏｐｏｓａｌ
【非特許文献５】Ｃ３０−２００４１０１９−０１１：Ａ  ｂａｃｋｗａｒｄ  ｃｏｍｐａｔｉｂｌｅ  ＣＤＭＡ−ｂａｓｅｄ  ｅｎｈａｎｃｅｄ  ｂｒｏａｄｃａｓｔ  ｍｕｌｔｉｃａｓｔ  （ＥＢＭ）ｓｙｓｔｅｍ  ｆｏｒ  ＨＲＰＤ
【非特許文献６】Ｃ３０−２００４１２０６−０２２Ｔｌ：Ｄｅｒｉｖａｔｉｏｎ  ｏｆ  Ｃｈａｎｎｅｌ  Ｅｓｔｉｍａｔｉｏｎ  Ｅｒｒｏｒ  Ｍｏｄｅｌ  ｆｏｒ  ＣＤＭＡ  ＥＢＭＥ  ｖａｌｕａｔｉｏｎ  Ｍｅｔｈｏｄｏｌｏｇｙ
【非特許文献７】Ｃ３０−２００４０８２３−０１８  ＫＤＤＩ：Ｓｉｍｕｌａｔｉｏｎ  ｏｆ  ＣＤＭＡ２０００  １ｘＥＶ−ＤＯ  ｆｏｒｗａｒｄ  ｌｉｎｋ  ｐｅｒｆｏｒｍａｎｃｅ  ｕｓｉｎｇ  ｆｒｅｑｕｅｎｃｙ  ｄｏｍａｉｎ  ｅｑｕａｌｉｚｅｒ．
【非特許文献８】Ｄ.ＦＡＬＣＯＮＥＲ，Ｓ.Ｌ.ＡＲＩＹＡＶＩＳＩＴＡＫＵＬ，Ｓ.ＢＥＮＹＡＭＩＮ−ＳＥＥＹＡＲ，ＡＮＤ  Ｂ.  ＥＬＤＳＯＮ：Ｆｒｅｑｕｅｎｃｙ  Ｄｏｍａｉｎ  Ｅｑｕａｌｉｚｅｒ  ｆｏｒ  Ｓｉｎｇｌｅ−Ｃａｒｒｉｅｒ  Ｂｒｏａｄｂａｎｄ  Ｗｉｒｅｌｅｓｓ  Ｓｙｓｔｅｍ、ＩＥＥ  Ｔｒａｎ.  Ｃｏｎｓｕｍｅｒ  Ｅｌｅｃ.，Ａｕｇｕｓｔ  １９９８
【非特許文献９】Ｒ.ＮＥＧＩＡＮＤ  Ｊ.  ＣＩＯＦＦＩ：Ｐｉｌｏｔ  Ｔｏｎｅ  Ｓｅｌｅｃｔｉｏｎ  ｆｏｒ  Ｃｈａｎｎｅｌ  Ｅｓｔｉｍａｔｉｏｎ  ｉｎ  ａ  Ｍｏｂｉｌｅ  ＯＦＤＭ  Ｓｙｓｔｅｍ，ＩＥＥ  Ｔｒａｎ.  Ｃｏｎｓｕｍｅｒ  Ｅｌｅｃ.，Ａｕｇｕｓｔ  １９９８
【非特許文献１０】Ｄ.Ｃ.ＣＨＵ：“Ｐｏｌｙｐｈａｓｅ  ｃｏｄｅｓ  ｗｉｔｈ  ｇｏｏｄ  ｐｅｒｉｏｄｉｃ  ｃｏｒｒｅｌａｔｉｏｎ  ｐｒｏｐｅｒｔｉｅｓ”，ＩＥＥ  Ｔｒａｎｓ.Ｏｎ  Ｉｎｆｏｒｍａｔｉｏｎ  Ｔｈｅｏｒｙ，Ｊｕｌｙ  １９７２
【発明の開示】
【発明が解決しようとする課題】
【０００３】
これらの各提案はデータ速度を増大させるだけでなく、既存の高速パケットデータ（ＨＲＰＤ）／１ＸＥＶ−ＤＯ（ＤＯ）送受信器での逆方向通信への互換性、非ブロック間干渉、データ記号へのＦＤＭ（周波数分割多重）パイロット直交、単一通信や有効な同報通信サービスを処理する単一受信機、および簡単なチャネル推定器、等の他の優位性も有する。これらの提案は１つですべての優位性を満たすものではないので、これらの優位性のすべてを実現し得る、機能強化同報通信サービス（ＢＣＭＣＳ）を提供する方法や装置を有することが望まれる。
【課題を解決するための手段】
【０００４】
本発明の実施例を図１〜７を参照として開示する。説明や図は理解を促進するためのものである。例えば、図の幾つかの要素は他の要素に比べて誇張されており、市場で実際に実行するのに有用あるいは必要であるが周知の要素は表示しないことで、実施例をより明確に表現している。図や説明を簡潔明瞭にすることによって、当業者が、すでに周知の観点から本発明を作製、使用、実施し易くした。当業者は、本発明の精神や範囲を逸脱することなく、下記の具体的な実施例に種々の改変や改良を行える。従って、具体例や図は限定するものではなく、例として示されたものであり、下記の具体例の改変は本発明の範囲に含まれる。
【０００５】
種々の実施例は改良されたデータの送受信を提供する。データ送信はヌル（ｎｕｌｌ）発生器を送信機中に備えて、入力データ記号列が存在しない特定の周波数では周波数分域中にヌルを示す出力データ記号列を生成する。次に、パイロット挿入器がこの出力データ記号列にパイロット記号列を加えて、組み合わせ記号列を生成する。パイロット記号列は、周波数分域中の出力データ記号列のヌルに相当するパイロット信号を示すので、組み合わせ記号列は、周波数分域中のデータに直交したパイロットを表示する。
【発明を実施するための最良の形態】
【０００６】
本発明に従った実施例の操作を図１〜７に順に示す。図１は、本発明の多くの実施例に従った送信機のブロックダイアグラム図である。図１はヌル発生器１１０、パイロット挿入器１２０、およびコンテンツベース拡散器１３０を示す。実施例に従うと、コンテンツベース拡散器１３０は、１）ヌル発生器１１０の前、２）パイロット挿入器１２０の後、に配置されるか、又は、３）配置されない。２）や３）の例の場合、入力データ記号列１０２は入力データ記号列１０１と同じで、パイロット記号１０６はパイロット記号１０７と同じである。
【０００７】
ヌル発生器１１０は入力データ記号列１０２から出力データ記号列１０３を生成する。入力データ記号列１０２と比べて、出力データ記号列１０３は入力データ記号列１０２が存在しない特定の周波数での周波数分域中にヌルを示す。更に、各入力データ記号（列１０２）が互いに独立で同一の変数を有するならば、各出力データ記号（列１０３）の変数も同一である。
【０００８】
次に、パイロット挿入器１２０が出力データ記号列１０３にパイロット記号列を加えて、組み合わせ記号列１０４を生成する。パイロット記号列は必要に応じて繰り返されるブロックであるパイロット記号１０７を含む。
【０００９】
最後に、パイロット記号列は出力データ記号列のヌルに相当する周波数分域でパイロット信号を示す。従って、列が加わると、パイロット信号はヌルを置換する。
例えば、図４は本発明の多数の実施例によるパイロット挿入のブロックダイアグラム図である。特に、図４は出力データ記号列が３００個の記号を有し、４０個の基準記号がある状況を示す。４０個の基準記号を９回繰り返すことによってパイロット記号列が生成される。パイロット列（３２０個のパイロット記号）の周波数対応は個別フーリエ変換（ＤＦＴ）によって計算され得る。
【００１０】
【数１】
2006222966.tif 000003
【００１１】
パイロット周波数対応は、サブ搬送波ｎ＝０，９，１８、…３５１（全部で４０ポイント）を除くすべての周波数でゼロである、即ち、
【００１２】
【数２】
2006222966.tif 000004
【００１３】
であることは容易に確認できる。パイロット挿入４１０は、時間分域における出力データ記号列とパイロット記号列の記号毎の追加を示す。一方、パイロット挿入４２０は、周波数分域における対応する追加を示す。パイロット挿入結果４３０は、サブ搬送波ｎ＝０，９，１８、…３５１におけるパイロット記号との組合せ記号列を示す。これは、出力データ記号列の周波数対応においてヌルに相当する。
【００１４】
コンテンツベース拡散器１３０がパイロット挿入器１２０の後方にある実施例においては、拡散器１３０は、組合せ記号列が搬送するコンテンツに沿って、周波数分域における特定のサブ搬送波にパイロット信号をシフトするために、組合せ記号列１０４を変調する。別言すればコンテンツが異なるとシフト量が異なる。例をあげると、コンテンツベースの拡散は次式の変調列を用いて決定される。
【００１５】
【数３】
2006222966.tif 000005
【００１６】
ここで、
【００１７】
【数４】
2006222966.tif 000006
【００１８】
はｋ番目のコンテンツに対応する。従って、組合せ記号列１０４のパイロット信号がサブ搬送波ｎ＝０，９，１８、…および３５１上にある場合は、コンテンツｋ＝３が搬送される場合、
【００１９】
【数５】
2006222966.tif 000007
【００２０】
記号列１０５のパイロット信号はサブ搬送波ｎ＝２，１１，２０、…および３５３にシフトする。
異なるコンテンツのための上記の変調列を用いて複数のコンテンツが近隣のセルによって送信される場合は、バイアスされないパイロット検出に役立ち、チャネル評価における干渉を低減できる。
【００２１】
コンテンツベース拡散器１３０がヌル発生器１１０の前方にある実施例においては、拡散器１３０は、入力データ記号列が搬送するコンテンツに沿った特定の符号分割多重接続（ＣＤＭＡ）の長拡散符号を用いて入力データ記号列１０１を拡散する。別言すれば、異なるコンテンツには異なる拡散符号列が使用される。さもなければ拡散された記号列１０２と１０７は上述のように処理される。
【００２２】
図２は、本発明の複数の実施例に沿った変形の高速パケットデータ（ＨＲＰＤ）／１ＸＥＶ−ＤＯ（ＤＯ）送信機のブロックダイアグラムである。図２に示すように、要素２１０，２２０，２３０，２４０，２５０，２６０，２７０，２８０および２９０は従来技術のＨＲＰＤ／ＤＯ送信機に付加されている。また、送信機２００は、少なくとも３つの下記の構成をカバーするために一般的な形式で図示されている。
【００２３】
【表１】
2006222966.tif 000008
【００２４】
一般的に、Ｍ＊Ｎサブ搬送波はパイロットとデータを送信するために使用される。Ｍ＊Ｎサブ搬送波の中で、Ｎの均等空間配列のサブ搬送波はパイロットに配分され、Ｎ（Ｍ−１
）サブ搬送波はデータに配分される。
【００２５】
ＨＲＰＤ／ＤＯ送信機と同様に、送信機２００によって送信される物理層パケットはチャネル符号器によって符号化され、インターリーバによってインターリーブされ、変調器によって変調され、拡散器によって拡散されて、入力記号列が生成される。この記号列は、図３に示される記号挿入器２１０への入力としての役割を果たし、ヌル発生器の一種である。
【００２６】
ヌル発生器はＮ個の均等空間配列サブ搬送波をパイロットに分配し、Ｎ（Ｍ−１）個のサブ搬送波をデータに分配する。各ブロックはＮ個の記号を有し、図示の通り、ヌル発生器３００はＮ個の記号を発生する。詳細には、加算器３１０が、入力データ記号列３０１の各グループ／ブロック中に同じ位置を有する記号を線形に加える。正規化器３２０は第１正規化因子によって結果をスケーリング（ｓｃａｌｉｎｇ）して記号３２０を生成する。正規化器３３０は第２正規化因子によって記号３２１をスケーリングして正規化記号を生成する。加算器３４０は入力データ記号列３０１からの各記号に正規化記号中で同じ位置を有する記号を加える。記号３２１は、加算器３４０の結果にブロックゼロとして付記され、出力データ記号列３５１を生成する。
【００２７】
一般に、出力データ記号列３５１は注目すべき特性を有する。先ず、入力データ記号列３０１の各記号が独立で同様に変化する場合は、出力データ記号列３５１の各記号の変数は同じである。例えば、３２０個の入力データ記号が１という正規化変数を有するならば、対応する３６０個の出力記号は８／９の変数を有する。この特性は、送信信号のピーク電力対平均電力の比が比較的低いことを保障する。第２に（３６０個の記号の例を再び仮定して）、出力記号は
【００２８】
【数６】
2006222966.tif 000009
【００２９】
を満たす。
従って、出力データ信号の周波数応答は、サブ搬送波ｎ＝０，９，１８、…３５１（全部で４０ポイント）上でヌルを有する。
【００３０】
【数７】
2006222966.tif 000010
【００３１】
図２に戻って、記号挿入器２１０の出力はデータ利得調整器２３０によってスケーリングされる。ブロック繰返し器２４０、パイロット利得調整２４０および加算器２５０は、図１、４に関して上述したようにパイロット挿入器に対応する。同様に、コンテンツベース変調列２６０と拡散器２７０は、図１に関して上述したようなコンテンツベースの拡散器に対応する。コンテンツベース拡散に加えて、送信機２００もまたサイクリックなプレフィクス挿入器２８０を含む。サイクリックなプレフィクスの挿入は、ブロック間の干渉を防ぎ、チャネル対応と送信信号のサイクリックな畳み込みを行う。最後に、直交ＰＮデ拡散器２９０は、送信機２００に示された実施例中に含まれる周知のＨＲＰＤ／ＤＯ送信機への最後の追加である。従って送信機２００は、周知のＨＲＰＤ／ＤＯ送信機への付加に
よって実行される本発明の実施例の例示である。
【００３２】
図５は本発明の複数の実施例に沿った受信機のブロックダイアグラム図である。図２の送信機と同様に、受信機５００は、周知のＨＲＰＤ／ＤＯ受信機の改変によって実行される本発明の実施例の例示である。図５に示すように、要素５１０，５２０，５３０，５４０および５５０は従来技術のＨＲＰＤ／ＤＯ受信機に付加されている。また、受信機５００は、送信機２００が行うＭとＮの値を基にした構成をカバーするために一般的な形式で描かれている。
【００３３】
一般的に、サイクリックなプレフィクス・リムーバ５１０は第１受信機の記号列からサイクリックなプレフィクスを除去して、第２受信機の記号列を作成する。コンテンツベースのデモジュレータ（即ち、コンテンツベースの変調列５２０とデ拡散器５３０）は次に、第２受信機の記号列中のパイロットとデータ信号を再生して、周波数分域中のサブ搬送波を指名して、受信記号列を生成する。次に、周波数分域等化器（ＦＤＥ）５４０が受信した記号列から均等化されたデータ記号列を回復させ、周波数分域中の特定のサブ搬送波でパイロットを表示する。ＦＤＥ５４０は又、受信記号列とチャネル予測を用いて、時間分域中の均等化されたデータ記号列を生成する。実施例によると、等化器５４０は、チャネル周波数対応（ゼロ強制）を逆転させて、又は、等化エラーの平均２乗を最小化させて、等化データ記号列を作成してもよい。次に、記号検出器５５０が時間分域中の等化データ記号列を変調して、出力データ記号列を作成する。最後に、ＨＲＰＤ／ＤＯ受信機に沿って、この、出力データ記号列を更に加工して、デ拡散器、デモジュレータ、デインターリーバおよびチャネル複号器、によって復号データを得る。
【００３４】
キー受信機５００の部品のより詳細な説明を、N＝４０でM＝９（即ち、ブロック当たり、３２０個のデータ記号と４０個のパイロット記号を有する）受信構成に関して行う。図２の送信機においては、送信信号は、
【００３５】
【数８】
2006222966.tif 000011
【００３６】
で表される。ここで、I４０は４０の次元を有する単位行列であり、Dは情報データのベクトルであり、伝達されたデータブロックSは４０個のパッディング記号を含む。次に、情
報記号は正規化されると仮定する、即ち、
【００３７】
【数９】
2006222966.tif 000012
【００３８】
サイクリックな接頭辞を取り除いた後、フェージングチャネルを介して受信された信号は、
【００３９】
【数１０】
2006222966.tif 000013
【００４０】
で表される。
ここで、Fは正規化されたフーリエ変換行列、即ち、F＊F＝Iである。
Ω＝ｄｉａｇ{ω０，…，ω３６０}、は各サブ搬送波上でのチャネル周波数応答に対応する対角項を有する対角行列である。次に、ノイズＮ０は白色ノイズのランダムプロセスで、
【００４１】
【数１１】
2006222966.tif 000014
【００４２】
であると仮定する。
ゼロフォースの実施例で、ゼロフォース受信機は、
【００４３】
【数１２】
2006222966.tif 000015
【００４４】
【数１３】
2006222966.tif 000016
【００４５】
なので、
【００４６】
【数１４】
2006222966.tif 000017
【００４７】
を得る。
行列ＦＨの行１，１０，１９，…および３５２は、送信データ列の０，９，…および３５１のサブ搬送波上の周波数応答に対応する。そこで、
【００４８】
【数１５】
2006222966.tif 000018
【００４９】
を得る。ここで、（ＦＨ）（ｉ）は行列ＦＨの（ｉ＋１）番目の行である。Ｅは行列ＦＨの行を再編成した基本変形行列を示す。従って、
【００５０】
【数１６】
2006222966.tif 000019
【００５１】
が得られ、Ｅは基本変形行列なので、ＥＴＥ＝Ｉで、
【００５２】
【数１７】
2006222966.tif 000020
【００５３】
従って、
【００５４】
【数１８】
2006222966.tif 000021
【００５５】
となる。直接計算で、Ｈ＊Ｈ＝Ｍ＊Ｍ＝１であることが確認される。従って、
【００５６】
【数１９】
2006222966.tif 000022
【００５７】
要するに、本発明のゼロフォース受信機の実施例では、ゼロフォース周波数分域イコライザ（ＺＦ−ＦＤＥ）に直接基づいている。ゼロフォース・イコライザにおいては、サブチャネル０，９，…および３５１上の平均化チャネル利得はイコライザの出力に影響しない。なぜならば、送信されたデータ信号は、送信機での変形Ｈを介して、サブチャネル０，９，…および３５１に配分されない。従って、最適化された受信機は、不必要なノイズや干渉を集めるのを回避するために、サブチャネル０，９，…および３５１上には情報を集めるべきではない。この周波数選択動作は受信機での変形Ｈ＊を介して実行される。
【００５８】
ＭＭＳＥ受信機の導出は、上記のゼロフォース受信機の導出と同様の線に従う。送信信号のＭＭＳＥ予測は、
【００５９】
【数２０】
2006222966.tif 000023
【００６０】
である。要するに、本発明のＭＭＳＥ受信機の実施例は、ＭＭＳＥ周波数分域イコライザ（ＭＭＳＥ−ＦＤＥ）に直接基づいている。ゼロフォース受信機の場合と同様に、サブチャネル０，９，…，３５１上の平均化チャネル利得はイコライザの出力に影響しない。
【００６１】
ゼロフォースやＭＭＳＥの実施例において、記号検出器５５０は、図６に図示されているタイプの記号検出器である。加算器（ａｄｄｅｒ）６１０は、（第1のグループ６０２
と一緒に、入力された平均化データ記号列を作り出す、最終グループ６０１の）それぞれの最後のグループの同一位置にある記号を一緒に加える。この合計の各記号は正規化器６２０によってスケーリングされて、予測パッド記号６２１が生成される。正規化器６３０は、正規化因子によって第1のグループ６０２の各記号をスケーリングして、予測パッド
記号６３１を生成する。次に、加算器６４０が、複数の最終グループ６０１の最後のグループから、すべて同一の各グループ位置を有する、予測パッド記号６２１からの記号と、予測パッド記号６３１からの記号を各記号に線形に加える。それで、加算器６４０の結果が出力データ記号列６５１になる。図５に関して上述したように、記号検出器５５０の出力データ記号列は更に処理されて、デ拡散器（ｄｅｓｐｒｅａｄｅｒ）、復調器、デインターリーバ（ｄｅｉｎｔｅｒｌｅａｖｅｒ）、および復号器によって復号データを得る。
【００６２】
図７は、本発明の複数の実施例に沿った送信データで実施される機能を図示した論理フロー図である。論理フロー７００は、入力データ記号列からの出力データ記号列の生成（７０４）で始まる。ここで、出力データ記号列は、入力データ記号列がない特定の周波数で周波数分域中にヌルを示す。次に、出力データ記号列のヌルに対応するパイロット信号を示すパイロット記号列が出力データ記号列に挿入されて（７０６）組合せ記号列を生成する。次に、この組合せ記号列は、組合せ記号列が搬送する内容に対応して、周波数分域中の特定のサブ搬送波へパイロット信号をシフトするために変調される（７０８）。論理フロー７００が終了する（７１２）前に、サイクリック接頭辞もまた組合せ記号列中に挿入される（７１０）。本発明の特定の実施例によると、図７に示されていない機能が追加的に実行されてもよい。一方、データ伝送に影響がなければ、示されている機能でも実施されなくてもよい。
【００６３】
本発明の特定の実施例に関しての利点、他の優位点、および上述した問題への解決法を上述した。しかしながら、利点、優位点、問題解決法、および、そのような利点、優位点、問題解決法の原因や結果となるあらゆる要素、そのような利点、優位点、問題解決法の原因がより明確になるあらゆる要素が、すべての請求項の重要な、必須の、あるいは本質的な特徴としては構成されていない。明細書や請求項で用いられている、「含む」、「からなる」あるいはその派生語は限定的な言葉ではない。あるグループの要素からなる工程、方法、製造、装置は、そのグループの要素には限定されず、そのような工程、方法、製造、装置リストアップされていない、或いは本質的な他の要素も含む。
【図面の簡単な説明】
【００６４】
【図１】本発明の複数の実施例による送信部品のブロックダイアグラム図。
【図２】本発明の複数の実施例による変調高速パケットデータ（ＨＲＰＤ）／１ＸＥＶ−ＤＯ（ＤＯ）のブロックダイアグラム図。
【図３】本発明の複数の実施例によるヌル（Ｎｕｌｌ）発生器のブロックダイアグラム図。
【図４】本発明の複数の実施例によるパイロット挿入のブロックダイアグラム図。
【図５】本発明の複数の実施例による受信部品のブロックダイアグラム図。
【図６】本発明の複数の実施例による記号検出器のブロックダイアグラム図。
【図７】本発明の複数の実施例によるデータ送信において行われる機能を示すブロックダイアグラム。
【図１】
2006222966.tif 000024
【図２】
2006222966.tif 000025
【図３】
2006222966.tif 000026
【図４】
2006222966.tif 000027
【図５】
2006222966.tif 000028
【図６】
2006222966.tif 000029
【図７】
2006222966.tif 000030
【外国語明細書】
2006222966.tif 000031
2006222966.tif 000032
2006222966.tif 000033
2006222966.tif 000034
2006222966.tif 000035
2006222966.tif 000036
2006222966.tif 000037
2006222966.tif 000038
2006222966.tif 000039
2006222966.tif 000040
2006222966.tif 000041
2006222966.tif 000042
2006222966.tif 000043
2006222966.tif 000044
2006222966.tif 000045
2006222966.tif 000046
2006222966.tif 000047
2006222966.tif 000048
2006222966.tif 000049
2006222966.tif 000050
2006222966.tif 000051
2006222966.tif 000052
2006222966.tif 000053
2006222966.tif 000054
2006222966.tif 000055